(57)【特許請求の範囲】
【請求項１】
躯体開口部に設けたシャッターカーテンが、開口部を閉鎖する全閉姿勢と開口部を開放する全開姿勢とに変姿する建築用防火シャッター装置において、シャッターカーテンの下端部に、左右方向長尺状で弾性変形自在な封止部材と、左右方向長尺状の耐火性の塞ぎ体とを表裏方向隣接状に設けて、前記塞ぎ体が床面に当接するシャッターカーテンの全閉姿勢で、封止部材が弾性変形した封止姿勢となり、前記床面に当接した耐火性の塞ぎ体による封止で防火性能が向上されるように構成するにあたり、塞ぎ体は、シャッターカーテンにより形成される防火空間側となる表裏方向一方側に位置し、該塞ぎ体の他方側に封止部材が設けられたものとし、該封止部材は、封止姿勢で塞ぎ体の表裏方向一方側にはみ出すことがないように構成され、表裏方向に空隙部が形成された中空状体であり、上下方向中間部に位置して表裏方向他方側に突出する屈曲部と、該屈曲部の下方に下端ほど尖鋭状となる尖鋭状部とが形成されるものとし、封止部材は屈曲部を基準として弾性変形して折畳み状の封止姿勢となるように構成されている建築用防火シャッター装置。
【請求項２】
封止部材は、下端縁部がシャッターカーテンの表裏方向厚さの中心線よりも表裏方向他方側に位置するように形成されている請求項１に記載の建築用防火シャッター装置。
【発明の詳細な説明】
【技術分野】
【０００１】
本発明は、開口部を開閉するシャッターカーテンを備えた建築用防火シャッター装置の技術分野に属するものである。
【背景技術】
【０００２】
一般に、躯体開口部に設けたシャッターカーテンが、開口部を閉鎖する全閉姿勢と開口部を開放する全開姿勢とに変姿する建築用シャッター装置のなかには、シャッターカーテンにより仕切ることで、火災による炎や煙がシャッターカーテンの一方に形成される防火空間側に侵入するのを防止するようにした防火シャッター装置がある。この場合では、シャッターカーテンを、例えば複数のパネル体を連結して構成されるシャッターカーテン（パネルシヤッター）とした場合では、各パネル体を、金属材からなる表裏面板で所定の板厚を備えたものに形成する一方、全閉姿勢となったシャッターカーテンと躯体との間となる部位、即ち、シャッターカーテンと該シャッターカーテンの左右両側を移動案内するガイドレールとの間、シャッターカーテンと躯体開口部の上端縁部との間、シャッターカーテンの下端部と床面との間を、それぞれ封止部材を用いて封止状にして、火災による炎や煙が防火空間に侵入するのを防止するような構成が必要となる。
【０００３】
この改善策として、前記各部位に、封止部材として弾性材からなる第一封止部材を設けるとともに、高温になることにより膨張する第二封止部材を設けて、高温になるまでは第一封止部材による封止をし、火災等で高温になった場合では第二封止部材が熱膨張して封止がなされるようにしたものが提唱されている。
【特許文献１】特開平３−７１５５６号公報
【発明の開示】
【発明が解決しようとする課題】
【０００４】
しかるに、このものでは、シャッターカーテンの下端部と床面との間を封止する第一、第二封止部材を、第一封止部材の内側に第二封止部材を収納する構成としており、火災により高温となり、外側の第一封止部材が溶融したり、燃えてしまったような場合に、内側の第二封止部材が熱膨張する構成となっている。このため、第一封止部材はシャッターカーテンにより仕切られた火災発生側の空間と防火空間との両者に対向しており、火災発生側の第一封止部材が溶融したり燃焼するような場合では、防火空間側の第一封止部材も溶融したり燃焼する惧れがあって防火性能に劣るという問題がある。さらに、シャッターカーテンは、火災が発生して高温になると、シャッターカーテン自体が熱膨張して火災発生側の空間に対して湾曲状に突出変形することが想定されるが、このとき、前記従来のものでは、溶融したり燃焼した防火空間側の第一封止部材が該側に取り残されてしまい発火要因となる惧れがあるという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、躯体開口部に設けたシャッターカーテンが、開口部を閉鎖する全閉姿勢と開口部を開放する全開姿勢とに変姿する建築用防火シャッター装置において、シャッターカーテンの下端部に、左右方向長尺状で弾性変形自在な封止部材と、左右方向長尺状の耐火性の塞ぎ体とを表裏方向隣接状に設けて、前記塞ぎ体が床面に当接するシャッターカーテンの全閉姿勢で、封止部材が弾性変形した封止姿勢となり、前記床面に当接した耐火性の塞ぎ体による封止で防火性能が向上されるように構成するにあたり、塞ぎ体は、シャッターカーテンにより形成される防火空間側となる表裏方向一方側に位置し、該塞ぎ体の他方側に封止部材が設けられたものとし、該封止部材は、封止姿勢で塞ぎ体の表裏方向一方側にはみ出すことがないように構成され、表裏方向に空隙部が形成された中空状体であり、上下方向中間部に位置して表裏方向他方側に突出する屈曲部と、該屈曲部の下方に下端ほど尖鋭状となる尖鋭状部とが形成されるものとし、封止部材は屈曲部を基準として弾性変形して折畳み状の封止姿勢となるように構成されている建築用防火シャッター装置である。
請求項２の発明は、封止部材は、下端縁部がシャッターカーテンの表裏方向厚さの中心線よりも表裏方向他方側に位置するように形成されている請求項１に記載の建築用防火シャッター装置である。
【発明の効果】
【０００６】
請求項１の発明とすることにより、シャッターカーテンの表裏方向の空間を封止部材と塞ぎ体とにより仕切るので、封止性が確実なうえ、防火空間を確実に、かつ、耐火性よく防火できて、防火性能の向上を図れる。しかも、封止部材が溶融、燃焼しても、その影響を防火空間側に与えることがないうえ、高温になってシャッターカーテンが防火空間から非防火空間側に膨出するように撓んだような場合でも、封止部材が防火空間側に取り残されるようなことがなく、防火性能のさらなる向上を図れる。そのうえ、防火空間側で封止部材が溶融、燃焼するようなことを確実に防止できて、防火性能が一層優れる。さらに、封止部材が折畳み状の封止姿勢に変姿して、封止性が確実になるうえ、封止部材が塞ぎ体を越えて防火空間側にはみ出すのを確実に防止できる。
請求項２の発明とすることにより、封止部材の折畳み状の封止姿勢への変姿が一層確実になる。
【発明を実施するための最良の形態】
【０００７】
つぎに、本発明の実施の形態について、図面に基づいて説明する。
図面において、１はオーバーヘッド式の建築用防火シャッター装置（防火パネルシャッター装置）であって、該建築用防火シャッター装置１を構成するシャッターカーテン（ドア体）２は、それぞれ左右方向長尺状に形成され、最上端に位置する最上端パネル体３、最下端に位置する最下端パネル体４、そして、これらのあいだに位置する複数枚の中間パネル体５とをそれぞれ揺動自在に連結することにより構成されている。
【０００８】
前記各パネル体３、４、５は、金属材により構成されており、それぞれ表裏方向所定のパネル厚Ｈを有して形成されており、中間パネル体５は、上端縁部に円弧状の外周面を有した連結部５ａが形成される一方、下端縁部に前記連結部５ａに摺動自在に外嵌して、互いに上下方向に揺動自在（屈曲自在）な連結がなされる連結受け部５ｂが形成されている。さらに、中間パネル体５の連結部５ａ側の左右方向両端部には、連結部５ａの下方に位置して、先端にガイドローラ６が回転自在に軸承された支軸６ａの基端部がそれぞれ支持されている。
また、最上端パネル体３は、下端縁部に中間パネル体５の連結受け部５ｂと同形状に形成された連結受け部３ａが形成されており、最上端パネル体３の下方に隣接する中間パネル体５の連結部５ａに摺動自在に外嵌して揺動自在な連結部が構成されている。そして、最上端パネル体３の裏面であって、防火空間側に設定される面の左右両端部には、先端にガイドローラ６が回転自在に軸承された支軸６ａの基端部がそれぞれ支持されている。
さらに、最下端パネル体４は、上端縁部に中間パネル体５の連結部５ａと同形状に形成された連結部４ａが形成されており、最下端パネル体４の上方に隣接する中間パネル体５の連結受け部５ｂに摺動自在に内嵌して揺動自在な連結部が構成されている。そして、最下端パネル体４の連結部４ａ側の左右方向両端部には、連結部４ａの下方に位置し、先端にガイドローラ６が回転自在に軸承された支軸６ａの基端部がそれぞれ支持されている。さらに、最下端パネル体４は、下端部の左右方向両端部に、前記連結部６ａに設けられるものと同様のガイドローラ６が支軸６ａを介して回転自在に軸承されている。
【０００９】
一方、躯体開口部の左右両側部にはそれぞれ左右一対のガイドレールＧが設けられているが、各ガイドレールＧは、開口部側部に立設される直線状の垂直レール７と、開口部を基準として防火空間側となるシャッターカーテン２の裏面側に位置する躯体の天井部に沿って設けられる直線状の水平レール８と、これら各レール７、８のあいだを連結する湾曲状のＲ状レール９とを備えて構成されている。前記ガイドレールＧの各レール７、８、９は、それぞれ連通状となるガイド溝７ａ、８ａ、９ａが形成されており、これら各ガイド溝７ａ、８ａ、９ａに、前記シャッターカーテン２（各パネル体３、４、５）に設けたガイドローラ６が嵌合して移動案内を受けるように構成されている。
【００１０】
１０は、開口部上方に回転自在に支持される回転軸であって、該回転軸１０の左右両端部には一対のワイヤドラム１０ａが回転軸１０と一体回転する状態で外嵌固定されており、これらワイヤドラム１０ａに巻装されるワイヤ１０ｂの遊端は、シャッターカーテン２を構成する最下端パネル体４に連結されている。さらに、最上端パネル体３の裏面側上下方向中間部には作動アーム１１の一端部が上下方向揺動自在に連結されており、該作動アーム１１の先端部はシャッターカーテン２の上方に延出し、該延出端部に移動体１２が連結されている。一方、水平レール８が設けられる側の躯体天井面には、表裏方向に長い作動レール１３が設けられており、該作動レール１３に前記移動体１２が移動自在に設けられる一方、作動レール１３の裏面側端部には駆動装置１３ａが設けられており、駆動装置１３ａの駆動に基づいて移動体１２が作動レール１３に沿って移動するように構成されている。
【００１１】
そして、シャッターカーテン２は、駆動装置１３ａの駆動に基づいて移動体１２が表裏方向に移動することにより作動アーム１１に牽引され、左右両側部がガイドレールＧに案内される状態で移動するように構成されている。これによって、シャッターカーテン２は、垂直レール７に位置して開口部を閉鎖する全閉姿勢と、水平レール８に位置して開口部を開放する全開姿勢とのあいだを移動するように構成されており、該開閉移動の過程で、シャッターカーテン２がガイドレールＧのＲ状レール９を移動する場合では隣接するパネル体３、４、５同士が適宜揺動角度を存した連結状態の折曲姿勢となり、垂直レール７、水平レール８を移動する場合では隣接するパネル体３、４、５同士が直線状に連結する直線姿勢となるように構成されている。因みに、最上端パネル体３に設けられたガイドローラ６は、シャッターカーテン２の全閉姿勢において、垂直レール７の上方となるＲ状レール９に位置しており、これによって、移動体１２によるシャッターカーテン２の開閉作動が円滑になされるように構成されている。
尚、前記回転軸１０には、シャッターカーテン２の閉鎖に伴いシャッターカーテン２の荷重にバランスする蓄勢力が付勢されるバランス弾機（図示せず）が介装されており、駆動装置１３ａによる開閉作動を補助するように構成されている。
【００１２】
一方、シャッターカーテン２の移動案内をするガイドレールＧは、各パネル体３、４、５の両側部から突出するガイドローラ６の移動案内をする構成であるため、各レール７、８、９と各パネル体３、４、５との間には隙間が形成されている。このため、シャッターカーテン２を全閉姿勢としてシャッターカーテン２の裏面側に形成される防火空間に火や煙が侵入するのを防止するためには、シャッターカーテン２と躯体開口部との間に封止構成が必要となり、つぎのような配慮がなされている。
【００１３】
躯体開口部とシャッターカーテン２の左右両側部との間は、開口部両側に立設される垂直レール７にそれぞれ左右方向外方から覆うカバー体１４を設け、これらカバー体１４と各垂直レール７との間に、それぞれ垂直レール用封止ユニット１５を設けることにより封止されるように構成されている。
前記カバー体１４は、垂直レール７の上下方向全長にわたって一体的に設けられており、図３（Ａ）に示すように、耐火性材料である金属製板材を折曲し、シャッターカーテン２の表裏面に積層するように設けられる表裏一対の側片１４ａ、１４ｂを備えた断面コ字形状に形成されており、裏面側の側片１４ｂの開口部側の先端部には、各パネル体３、４、５の裏面３ｂ、４ｂ、５ｃに近接対向する突片１４ｃが形成されている。また、前記垂直レール用封止ユニット１５は、垂直レール７の上端部を除く上下方向略全長にわたって設けられており、長尺状の金属製平板材を折曲することにより、垂直レール７の表面側の側片７ｂに固定される第一支持片１５ａと、該第一支持片１５ａの開口部側の端縁部から表面側に突出する第二支持片１５ｂと、該第二支持片１５ｂの突出端部から開口部側に突出し、カバー体１４の表面側の側片１４ａの裏面に沿って支持される第三支持片１５ｃと、該第三支持片１５ｃの開口側の端縁部から裏面側に突出して各パネル体３、４、５の表面３ｃ、４ｃ、５ｄに近接対向する第四支持片１５ｄとが形成されている。そして、第四支持片１５ｄの先端部に、ゴム質弾性材で構成される長尺状の第一封止部材１６の基端部１６ａが嵌着されており、第一封止部材１６の先端側に形成された舌片部１６ｂが全閉姿勢のシャッターカーテン２の表面（３ｃ、４ｃ、５ｄ）に摺接することにより、シャッターカーテン２の表面（３ｃ、４ｃ、５ｄ）側における躯体開口部の側部との間の隙間を封止するように構成されている。
【００１４】
さらに、垂直レール用封止ユニット１５の第二支持片１５ｂの開口部側の面には、高温になることにより膨張する第二封止部材１７が第二支持片１５ｂの全長にわたって設けられている。そして、高温になって第一封止部材１６が脱落したり燃焼してしまったような状態になると、第二封止部材１７が膨張して、第二支持片１５ｂと第四支持片１５ｄとの間を封止するように設定されている。これによって、躯体開口部両側部であって、垂直レール７のカバー体１４配設部位とシャッターカーテン２の左右両側部との間は第一、第二封止部材１６、１７により封止されて、高温になっても確実な封止ができるように構成されている。
【００１５】
ここで、Ｒ状レール９を移動するシャッターカーテン２は、所定の揺動角度を存した折曲姿勢となるため、Ｒ状レール９には、シャッターカーテン２の表裏面に積層する側片を備えたカバー体と前述の垂直レール用封止ユニット１５とを設けることはできない。このため、躯体開口部の左右両側部における封止において、
高温になって第一封止部材１６が脱落したり燃焼したような状態になると、垂直レール７の上端部からＲ状レール９に至る連結部位に隙間が形成され、封止性が損なわれることが想定される。そこで、本実施の形態では、垂直レール７の上端部と全閉姿勢となっている最上端パネル体３との間を封止することにより、垂直レール７の上方に形成される隙間を塞ぐように構成されている。
つまり、最上端パネル体３の左右両側部には、第二封止部材１７に対向して最上端パネル体第一封止ユニット１８が設けられている。前記最上端パネル体第一封止ユニット１８は、図４に示すように、最上端パネル体３の上下方向略全長にわたって設けられており、長尺状の金属製平板材をＬ字状に折曲することにより、最上端パネル体３の表面３ｃに固定される固定片１８ａと、該固定片１８ａのガイドレールＧ側の端縁部から表面側に突出し、垂直レール用封止ユニット第二支持片１５ｂに近接対向する突出片１８ｂとが形成されており、前記固定片１８ａの表面側に前記と同様の第二封止部材１７が設けられている。
そして、火災発生等により炎や煙が発生した場合では、第四支持片１５ｄと突出片１８ｂとにより炎や煙が防火空間に回り込むのが防止され、高温になった場合では、最上端パネル体３配設部位において、垂直レール用封止ユニット第二支持片１５ｂの第二封止部材１７と、最上端パネル体第一封止ユニット固定片１８ａの第二封止部材１７とが熱膨張し、垂直レール用封止ユニット第二支持片１５ｂと最上端パネル体第一封止ユニット突出片１８ｂとの間が封止されるとともに、最上端パネル体第一封止ユニット固定片１８ａと垂直レール用封止ユニット第三支持片１５ｃ（カバー体表面側側片１４ａ）との間が封止され、これによって、第一封止部材１６が脱落するような高温になった状態でも垂直レール７の上端部からＲ状レール９に至る部位の隙間が確実に封止されるように構成されている。
【００１６】
また、躯体開口部の上端縁部とシャッターカーテン２上縁部（最上端パネル体３の上縁部）とにおける封止は、図３（Ｂ）に示すように、開口部を構成する上端縁部に上端部用躯体側封止ユニット１９を設ける一方、最上端パネル体３に最上端パネル体第二封止ユニット２０を設けることにより封止されるように構成されている。
前記上端部用躯体側封止ユニット１９は、開口部を構成する躯体上端部の左右方向略全長にわたって裏面側に設けられるものであり、長尺状の金属製平板材を折曲することにより、躯体固定片１９ａと、該固定片１９ａの下端縁から裏面側に突出する第一支持片１９ｂと、前記固定片１９ａの上下方向中間部から裏面側に突出する突出片１９ｃと、該突出片１９ｃの突出先端縁から上方に突出し、全閉姿勢のシャッターカーテン２の最上端パネル体３上端部の表面３ｃに近接対向する第二支持片１９ｄとが形成されている。そして、第一支持片１９ｂの先端部に前記と同様の第一封止部材１６が止着されており、第一封止部材１６の舌片部１６ｂが最上端パネル体３の表面３ｃの上部に摺接することにより、シャッターカーテン２の表面側における躯体開口部の上端部との間の隙間を封止するように構成されている。
さらに、上端部用躯体側封止ユニット１９の第二支持片１９ｄには、高温になることにより膨張する前記と同様の第二封止部材１７が最上端パネル体３に対向して設けられている。
【００１７】
一方、最上端パネル体第二封止ユニット２０は、図４に示すように、最上端パネル体３上部に左右方向略全長にわたって設けられるものであり、長尺状の金属製平板材を折曲することにより、最上端パネル体３の上端面に固定されるパネル体固定片２０ａと、シャッターカーテン２が全閉姿勢になることにより、上端部用躯体側封止ユニット１９の第二支持片１９ｄの上方に間隙を存して位置し、突出片１９ｃと上下方向に対向する支持片２０ｂと、該支持片２０ｂの表面側端縁部から下方に突出し、上端部用躯体側封止ユニット１９の第二支持片１９ｄと近接対向して相決り状の位置関係となる突片２０ｃとが形成されている。そして、支持片２０ｂの下端面に前記と同様の第二封止部材１７が設けられている。
そして、火災発生により炎や煙が発生した場合では、相決り状の位置関係となっている第二支持片１９ｄと突片２０ｃとにより炎や煙が防火空間に回り込むのが防止され、高温になった場合では、上端部用躯体側封止ユニット１９の第二支持片１９ｄと、最上端パネル体第二封止ユニット２０の支持片２０ｂとに設けられた第二封止部材１７がそれぞれ熱膨張することにより、上端部用躯体側封止ユニット第二支持片１９ｄと最上端パネル体３との間が封止されるとともに、最上端パネル体第二封止ユニット支持片２０ｂと突片２０ｃと上端部用躯体側封止ユニット１９の突出片１９ｃとにより囲繞される空間が封止され、これによって、第一封止部材１６が脱落するような高温になった場合でも、躯体開口部上端部における封止がなされるように構成されている。
【００１８】
そして、躯体開口部の下端部における封止に本発明が実施されている。
前記最下端パネル体４は、図５、６に示すように、下端部に下端部用封止ユニット２１が設けられている。下端部用封止ユニット２１は、左右方向長尺状で弾性変形自在な第三封止部材（本発明の封止部材に相当する）２２と、左右方向長尺状で、かつ、第三封止部材２２の上下長さよりも短い上下長さを有した金属製の塞ぎ体２３とが、表裏方向に隣接する状態で設けられている。
前記下端部用封止ユニット２１を構成する塞ぎ体２３は、最下端パネル体４の下端面４ｄに、下方が開口するように形成された蟻溝状の凹部４ｅに抜止めされる抜止め片２３ａが形成され、該抜止め片２３ａから表裏一対の側片２３ｂ、２３ｃが下方に延出形成されている。前記一対の側片２３ｂ、２３ｃの下端縁には、互に近接する方向に突出する表裏一対の支持片２３ｄ、２３ｅがそれぞれ形成されており、抜止め片２３ａの下方に下端が開口する蟻溝状の支持凹部２３ｆが形成されている。さらに、前記裏面側の側片２３ｃには、下方に延出する塞ぎ片２３ｇが形成されているが、該塞ぎ片２３ｇは、最下端パネル体４の裏面４ｂと略面一状となる位置関係で形成されている。
【００１９】
前記第三封止部材２２は、ゴム質弾性材により左右方向長尺状体に形成されており、表裏方向から凹設される状態の細首部２２ａの下方に、表裏方向に空隙を存する中空状となって弾性変形自在な変形部２２ｂが形成されたものに構成されている。そして、第三封止部材２２は、細首部２２ａを塞ぎ体２３の支持凹部２３ｆに嵌入させて、細首部２２ａの上片部２２ｃを表裏一対の支持片２３ｄ、２３ｅに係止させることにより、第三封止部材２２が塞ぎ体２３に抜止め状に支持されるように構成されている。そして、第三封止部材２２は、変形部２２ｂの上下方向中間部に位置し、変形部２２ｂを構成する表裏一対の側片をそれぞれ表面側に突出して屈曲部２２ｄが形成されて、変形部２２ｂが屈曲変形を受けやすくなるように構成されている。さらに、これら各側片の屈曲部２２ｄ形成部位は肉薄状に形成されており、これによって、変形部２２ｂが屈曲部２２ｄを基準とする屈曲変形を一層受けやすくなるように構成されている。さらに、屈曲部２２ｄの下方には、下端ほど尖鋭状となる尖鋭状部２２ｅが形成されており、該尖鋭状部２２ｅの下端縁２２ｆは、最下端パネル体４のパネル厚Ｈの中心線Ｍよりも表面側に偏寄するように形成されている。さらに、第三封止部材２２は、該第三封止部材２２が弾性変形しない自然状態において、下端縁２２ｆが前記塞ぎ体２３の塞ぎ片２３ｇの下端縁より下方に突出するように形成されている。
【００２０】
そして、シャッターカーテン２が閉鎖作動した場合では、塞ぎ体２３の塞ぎ片２３ｇよりも下方に突出する第三封止部材２２の先端縁２２ｆが先行して床面に当接し、塞ぎ片２３ｇが床面に当接する全閉姿勢となる状態では、第三封止部材２２が床面からの押圧力を受けて弾性変形して封止姿勢となるように構成されており、この状態において、第三封止部材２２により最下端パネル体４と床面との間が封止されるように設定されている。そして、この場合に、シャッターカーテン２の裏面側に形成される防火空間側には、第三封止部材２２とともに塞ぎ体２３が対向することにより、第三封止部材２２が溶融したり、燃焼するようなことがあっても、塞ぎ体２３による封止がなされて防火性能が優れるように構成されている。
さらに、この場合に、防火空間側には塞ぎ体２３が対向するように構成されており、第三封止部材２２が防火空間側で発火してしまうようなことがなく、防火性能の一層の向上が図れるように構成されている。また、第三封止部材２２は肉薄状で弾性変形を受けやすい屈曲部２２ｄが表面側に突出して形成されるとともに、屈曲部２２ｄの下方に尖鋭状部２２ｅに形成され、尖鋭状部２２ｅの下端縁２２ｆが表面側に偏寄して形成されていて、床面に当接して弾性変形する場合では、図６（Ｂ）に示すように、屈曲部２２ｄを基準として折畳み状の封止姿勢に弾性変形するように設定されている。これによって、自然状態で尖鋭状部２２ｅの表側の面である表側下端片２２ｇが床面に沿って変形することにより床面に対する封止性の向上が図れるように構成されている。また、折畳まれた尖鋭状部２２ｅは、先端縁２２ｆが塞ぎ体２３の塞ぎ片２３ｇを越えて裏面側にはみ出すことがないように寸法設定されており、これによって、防火空間側にはみ出して第三封止部材２２が燃焼するような不具合を確実に防止できるように構成されるとともに、シャッターカーテン２が火災発生側の空間に向けて膨出するように撓んだとしても、第三封止部材２２は防火空間側の塞ぎ体２３により火災発生側に押し出されて、防火空間側の防火性能が低減するような不具合がないよう構成されている。
【００２１】
叙述の如く構成された本形態において、パネル体３、４、５を揺動自在に連結したシャッターカーテン２を、Ｒ状レール９が形成されたガイドレールＧに移動自在に案内させることで、開口部を開閉するよう構成されたオーバーヘッド式のシャッター装置において、シャッターカーテン２の下端部は、全閉姿勢となることに伴い塞ぎ体２３に先行して第三封止部材２２が床面に当接して弾性変形し、封止姿勢となって床面との間を封止するので、シャッターカーテン２の下端部と床面との間の封止を確実に行うことができる。しかも、このものでは、第三封止部材２２と塞ぎ体２３との両者により火災発生空間と防火空間との間を仕切るので、防火空間の封止が確実なうえ、防火空間を確実に、かつ、耐火性よく防火できて、防火性能の向上を図ることができる。
【００２２】
このように、本発明が実施されたものにあっては、第三封止部材２２と塞ぎ体２３とにより防火空間を仕切る構成であるが、金属製の塞ぎ体は、防火空間側に配設されているので、第三封止部材２２が溶融、燃焼した場合であっても、その影響を防火空間側に与えることがなく、防火性能を一層優れたものにできる。
さらに、シャッターカーテン２が火災発生側の空間（非防火空間）に向けて熱膨張して撓みを生じたとしても、第三封止部材２２が塞ぎ片２３ｇにより火災発生側に押しやられて防火空間側に取り残されるような不具合がなく、防火性能のさらなる向上を果せる。
【００２３】
しかも、このものでは、第三封止部材２２は、床面との当接で弾性変形して封止姿勢となった場合に、塞ぎ片２３ｇよりも防火空間側にはみ出すことがないので、第三封止部材２２が防火空間側の発火原因となるようなことを確実に防止できる。
【００２４】
そのうえ、このものにおいて、第三封止部材２２が床面に当接して折畳み状の封止姿勢に変姿する場合に、第三封止部材２２には肉薄状となって弾性変形を受けやすい屈曲部２２ｄが形成され、該屈曲部の下方が尖鋭状部２２ｅに形成されているので、屈曲部２２ｄを基準として予め設定される折畳み状の封止姿勢に変姿するのが容易になって、封止性が確実になるばかりでなく、第三封止部材２２が塞ぎ片２３ｇの裏面側にはみ出すのを確実に防止することができる。
【００２５】
しかも、第三封止部材２２の下端縁２２ｆが表面側に偏寄する形状となっているので、予め設定される折畳み状の封止姿勢への変姿が一層確実に行われて、防火性能に優れた信頼性の高い防火シャッター装置を提供することができる。
【図面の簡単な説明】
【００２６】
【図１】オーバーヘッド式の建築用防火シャッター装置の一部を切欠いた側面断面図である。
【図２】シャッターカーテンの一部を切欠いた側面断面図である。
【図３】図３（Ａ）、（Ｂ）はそれぞれ垂直レールにおける平面断面図、シャッター装置の上部における側面断面図である。
【図４】図４（Ａ）、（Ｂ）、（Ｃ）はそれぞれ最上端パネル体の正面図、背面図、側面断面図である。
【図５】図５（Ａ）、（Ｂ）、（Ｃ）はそれぞれ最下端パネル体の正面図、背面図、側面断面図である。
【図６】図６（Ａ）、（Ｂ）はそれぞれ第三封止部材の自然状態を説明する側面断面図、第三封止部材の封止姿勢を説明する側面断面図である。
【符号の説明】
【００２７】
１    建築用防火シャッター装置
２    シャッターカーテン
３    最上端パネル体
４    最下端パネル体
７    垂直レール
９    Ｒ状レール
１４    カバー体
１５    垂直レール用封止ユニット
１６    第一封止部材
１７    第二封止部材
１８    最上端パネル体第一封止ユニット
１９    上端部用躯体側封止ユニット
２０    最上端パネル体第二封止ユニット
２１    下端部用封止ユニット
２２    第三封止部材
２２ｄ    屈曲部
２２ｅ    尖鋭状部
２２ｆ    下端縁
２３    塞ぎ体
２３ｇ    塞ぎ片
【図１】
0005173518.tif 000002
【図２】
0005173518.tif 000003
【図３】
0005173518.tif 000004
【図４】
0005173518.tif 000005
【図５】
0005173518.tif 000006
【図６】
0005173518.tif 000007